(57)【要約】【課題】煮沸消毒が可能で、衛生的で安全性に優れたおしゃぶりを提供する。【解決手段】このおしゃぶり１０は、本体を形成する座板１の孔部にゴム製乳首２を挿入し、ストッパ３を係合して固定し、ストッパ３はフランジ部１４とゴム製乳首２の内部に挿入される挿入部３ａとを備え、挿入部３ａは側壁部１２と蓋状の平板部１３とから構成され、フランジ部１４に可とう性を有する軟質膜４を設置し、平板部１３には貫通孔１３ａを設けて、軟質膜４と挿入部３ａとから形成された第１空間部１８が貫通孔１３ａを介してゴム製乳首内部２と連通し、軟質膜４の外縁部１７を固定するようにキャップ５を取り付け、軟質膜４とキャップ５とから構成される第２空間部２３がキャップ５の底板２２に設けられた通気孔２２ａを介して外部と連通するように設けるとともに、軟質膜４により第１空間部１８と外部とが遮断される。【選択図】　図１
2004016277.tif 000002
【特許請求の範囲】
【請求項１】
本体を形成する座板の孔部にゴム製乳首を挿入し、ストッパを係合して一体に形成したおしゃぶりにおいて、前記ストッパは前記ゴム製乳首を座板に固定するためのフランジ部と、ゴム製乳首の内部に挿入される挿入部とを備え、前記挿入部は側壁部と蓋状の平板部とから構成され、前記フランジ部に可とう性を有する軟質膜を設置し、前記平板部には貫通孔を設けて、前記軟質膜と前記挿入部とから形成された第１空間部が前記平板部に設けられた貫通孔を介して前記ゴム製乳首内部と連通する構成とし、前記軟質膜の外縁部を固定するようにキャップを取り付け、前記軟質膜と前記キャップとから構成される第２空間部が前記キャップの底板に設けられた通気孔を介して外部と連通するように設けるとともに、前記軟質膜により前記挿入部内の第１空間部と外部とが遮断される構成としたことを特徴とするおしゃぶり。
【請求項２】
本体を形成する座板に設けられた孔部にゴム製乳首を挿入し、ストッパを係合して一体に形成したおしゃぶりにおいて、前記ストッパにストッパを貫通してゴム製乳首内部と外部とを連通する遮断弁取付孔を設け、この遮断弁取付孔に遮断弁を設け、前記遮断弁の端面に前記遮断弁を回旋して前記遮断弁と前記ストッパとの間隙を調整して前記ゴム製乳首の内部と外部とを自在に連通あるいは遮断する操作部を備えたことを特徴とするおしゃぶり。
【請求項３】
前記座板の肌との接触面に前記座板の孔部の外周に環状に設けられた凹部を備え、前記凹部から座板の外縁に延伸されて凹部と外部とを連通する凹部ガイド部を設けたことを特徴とする請求項１または請求項２記載のおしゃぶり。
【請求項４】
前記ゴム製乳首の外側面に縦方向に縦断する縦溝を形成したことを特徴とする請求項１または請求項２記載のおしゃぶり。
【請求項５】
前記座板をトルマリンを添加した樹脂で形成したことを特徴とする請求項１または請求項２記載のおしゃぶり。
【発明の詳細な説明】
【０００１】
【発明の属する技術分野】
本発明は乳幼児の使用するおしゃぶりに関する。
【０００２】
【従来の技術】
おしゃぶりは乳幼児の口にくわえさせて使用する保育器具である。おしゃぶりを使用することにより鼻呼吸が促進されるため、呼吸器系統の発育に好都合である等の効果が期待されるとして、一般に使用されている。
【０００３】
図１２に従来から使用されている、一般的なおしゃぶり１００の構造を示す。
【０００４】
おしゃぶり１００は、本体を構成する座板１０１と、ゴム製乳首１０２と、ゴム製乳首１０２を座板１０１に固定するストッパ１０３とから構成されている。この座板１０１は乳幼児の肌の曲面に合わせた曲面形状に形成されており、おしゃぶり１００の使用時には乳幼児がゴム製乳首１０２を咥えて吸引すると、座板１０１が乳幼児の肌に接触し、ゴム製乳首１０２を飲みこむことが防止される。
【０００５】
座板１０１とストッパ１０３との係合部１０４は、ねじ結合等の締結方法により締結される。
【０００６】
【発明が解決しようとする課題】
ところで、乳幼児の使用する製品は、安全性の確保のため、常に清潔に保つことが重要である。特におしゃぶりのように口に含んで使用する製品の場合、煮沸消毒等の殺菌方法により殺菌することが好ましい。
【０００７】
しかしながら、従来のおしゃぶりは、乳幼児が吸引した際にゴム製乳首１０２内部が負圧となることを防止し、またゴム製乳首１０２を噛むなどした場合に内圧の上昇により使用感が低下することを防止するために、ゴム製乳首１０２内部の空気が外部に放出されるように、ゴム製乳首１０２の内部と外部とを連通させる構造としてある。例えば、図１２のおしゃぶり１００の場合、座板１０１とストッパ１０３との締結部１０４を気密性の高い締結とせず、隙間を有する構造とし、この隙間を通してゴム製乳首１０２内部と外部とが連通する構成となっている。
【０００８】
そのため従来のゴム製乳首は、構造上気密性に乏しく、煮沸消毒するとゴム製乳首内部に水が浸入し、使用の際に影響を及ぼす。従って、従来のおしゃぶりは、基本的に煮沸消毒が困難な保育器具であり、口に含んで使用する保育器具として衛生上好ましくなかった。
【０００９】
一方、従来のおしゃぶりは、乳幼児が強く吸引することにより、肌との接触面が真空状態となることがあり、肌とおしゃぶりとの接触面がうっ血状態となって、肌のデリケートな乳幼児の場合、口周辺が赤くはれたり、ただれたりする等の不都合があった。
【００１０】
また、おしゃぶりと肌との接触面には乳幼児の唾液が滞留することがある。この場合、特におしゃぶりを長時間使用すると、肌が唾液と接触し続けるため、唾液による肌のかぶれやただれの問題も起こっていた。
【００１１】
また、おしゃぶりに使用されるゴム製乳首は、座板に固定されており、容易に外れるものではないが、歯の生えた幼児が使用した場合、稀ではあるがゴム製乳首を噛み切ってしまい、誤飲することも考えられる。
【００１２】
この場合、ゴム製乳首は材質および形状の点から流動性に乏しく、特に乳幼児の場合気道が狭いため、窒息する危険が指摘されていた。
【００１３】
一方、乳幼児は時として情緒不安定となり、かんしゃくを起こすなどの行動を取るものであり、こうした場合に乳幼児をなだめる目的で、おしゃぶりをくわえさせることがある。
【００１４】
しかしながら、このような目的でおしゃぶりを使用する際に、従来のおしゃぶりは必ずしも期待されるほどの効果をもたらして、かんしゃくを静めるものではなかった。そのため、乳幼児の精神を効果的に安定させる保育器具が求められていた。
【００１５】
本発明は、上述したような事情を考慮してなされたものであり、煮沸消毒が可能で、衛生的で安全性に優れたおしゃぶりを提供することを目的とする。
【００１６】
一方、本発明のさらに別の目的は、乳幼児が強く吸引したり、長時間使用してもうっ血によるはれや赤み、あるいは唾液によるかぶれを防止する機構を備えたおしゃぶりを提供するにある。
【００１７】
さらに、本発明の別の目的は、乳幼児が誤ってゴム製乳首を誤飲した場合でも、窒息の危険を回避し、安全性を確保したおしゃぶりを提供するにある。
【００１８】
また、本発明の他の目的は、乳幼児の情緒を安定にし、かんしゃくを防止するおしゃぶりを提供するにある。
【００１９】
【課題を解決するための手段】
本発明に係るおしゃぶりは、上述したような課題を解決するために、請求項１に記載したように、本体を形成する座板の孔部にゴム製乳首を挿入し、ストッパを係合して一体に形成したおしゃぶりにおいて、前記ストッパは前記ゴム製乳首を座板に固定するためのフランジ部と、ゴム製乳首の内部に挿入される挿入部とを備え、前記挿入部は側壁部と蓋状の平板部とから構成され、前記フランジ部に可とう性を有する軟質膜を設置し、前記平板部には貫通孔を設けて、前記軟質膜と前記挿入部とから形成された第１空間部が前記平板部に設けられた貫通孔を介して前記ゴム製乳首内部と連通する構成とし、前記軟質膜の外縁部を固定するようにキャップを取り付け、前記軟質膜と前記キャップとから構成される第２空間部が前記キャップの底板に設けられた通気孔を介して外部と連通するように設けるとともに、前記軟質膜により前記挿入部内の第１空間部と外部とが遮断される構成としたことを特徴とするものである。
【００２０】
また、本発明に係るおしゃぶりは、上述したような課題を解決するために、請求項２に記載したように、本体を形成する座板に設けられた孔部にゴム製乳首を挿入し、ストッパを係合して一体に形成したおしゃぶりにおいて、前記ストッパにストッパを貫通してゴム製乳首内部と外部とを連通する遮断弁取付孔を設け、この遮断弁取付孔に遮断弁を設け、前記遮断弁の端面に前記遮断弁を回旋して前記遮断弁と前記ストッパとの間隙を調整して前記ゴム製乳首の内部と外部とを自在に連通あるいは遮断する操作部を備えたことを特徴とするものである。
【００２１】
さらに、本発明に係るおしゃぶりは、上述したような課題を解決するために、請求項３に記載したように、前記座板の肌との接触面に前記座板の孔部の外周に環状に設けられた凹部を備え、前記凹部から座板の外縁に延伸されて凹部と外部とを連通する凹部ガイド部を設けたことを特徴とするものである。
【００２２】
一方、本発明に係るおしゃぶりは、上述したような課題を解決するために請求項４に記載したように、前記ゴム製乳首の外側面に縦方向に縦断する縦溝を形成したことを特徴とするものである。
【００２３】
さらに、本発明に係るおしゃぶりは、上述したような課題を解決するために、請求項５に記載したように、前記座板をトルマリンを添加した樹脂で形成したことを特徴とするものである。
【００２４】
【発明の実施の形態】
本発明に係るおしゃぶりの好ましい実施形態について、図を参照して以下に説する。
【００２５】
図１に示すおしゃぶり１０は、本体を構成する座板１と、ゴム製乳首２と、ゴム製乳首２を座板１に固定するストッパ３と、軟質膜４と、キャップ５から構成される。さらに、このおしゃぶり１０にハンドル６が必要に応じて組み付けられて一体に構成される。
【００２６】
図１および図２〜図５を参照して各構成部材について説明する。
【００２７】
座板１は曲面形状に形成された部材で、乳幼児が口に含んだときに肌の曲面にフィットする構成としてある。
【００２８】
座板１の材質としてはポリプロピレン樹脂（ＰＰ樹脂）が好適に使用される。ポリプロピレン樹脂は、溶融温度が約１８０℃であり、煮沸消毒や電子レンジを使用した消毒の際に優れた耐熱性を有する。また、同じく耐熱性を有するポリカーボネイト樹脂と比較して、内分泌撹乱物質（環境ホルモン）として排出を規制されるビスフェノールＡ等の物質の流出が認められず、高い安全性が確認されており、特に乳幼児が口に含んで使用する材質として最適である。
【００２９】
座板１の中央にはノズル部７があり、ノズル部７中央に設けられた孔部は、座板１を表裏に貫通するゴム製乳首取付用の開口部で、この孔部にゴム製乳首２が挿入され、ストッパ３を係合して座板１とゴム製乳首２とが一体に固定される。
【００３０】
ゴム製乳首２は、図２に示すように乳幼児が口に含む乳首部８と、座板１に係合されるフランジ部９とから構成される。
【００３１】
図３に示すストッパ３は、ゴム製乳首２内に挿入される挿入部３ａを有し、挿入部３ａは、ゴム製乳首２の内側面に密着して内部側から保持する側壁部１２と、この側壁部１２のゴム製乳首２内部側の端部を覆うように蓋状に形成された平板部１３により略有蓋円筒状に形成される。このストッパ３には、ゴム製乳首２のフランジ部９を座板１に押付けてサポートするフランジ部１４が備えられており、さらに、このフランジ部１４から延設されてキャップ５の取付座として機能する嵌合部１５が設けられる。また平板部１３の中心部には、貫通孔１３ａが設けられる。貫通孔１３ａの孔径は、通常４ｍｍ〜５ｍｍ直径の孔に設けられる。
【００３２】
一方、ストッパ３のフランジ部１４のキャップ５取付側の軟質膜取付座には、可とう性を有する軟質膜４が設置される。この軟質膜４は、図４に示すようにドーム状に形成された膨出部１６と、この膨出部１６の外周に設けられた外縁部１７から構成され、膨出部１６をゴム製乳首２の内部方向に向け、外縁部１７がストッパ３のフランジ部１４に当接するように設置される。このように軟質膜４を設置することにより、軟質膜４とストッパ３の側壁部１２と平板部１３とから第１空間部１８が構成される。この第１空間部１８は、貫通孔１３ａによりゴム製乳首２の内部と連通する。
【００３３】
そして、この軟質膜４を固定するキャップ５を嵌合部１５に嵌合して、軟質膜４の外縁部１７をストッパ３とキャップ５との間に挟みこんで、おしゃぶり１０が一体に形成される。
【００３４】
キャップ５は、図５に示すように、軟質膜４を設置したストッパ３の形状に合わせて成形された部材で、厚肉円筒状に形成された側壁部２１の端面が軟質膜４の外縁部１７に当接するように固定される。おしゃぶり１０の外部側に配向されるキャップ５の底板２２には、通気孔２２ａが設けられる。すなわち、軟質膜４とキャップ５の底板２２とで形成される第２空間部２３と外部とが通気孔２２ａを介して連通する構成としてある。
【００３５】
軟質膜４は適度な弾力を備えた材料で構成され、キャップ５の固定による締結力でキャップ５とストッパ３との間気密性を保持する。すなわち、このおしゃぶり１０において、第２空間部２３と外部とが連通するが、第１空間部１８およびゴム製乳首２内部と外部とは軟質膜４により高い気密性を持って遮断される構成としてある。
【００３６】
また、この軟質膜４は、繰り返し使用に供される部材のため、強度に優れた素材で構成されることが好ましく、ゴム製乳首２と同様に高品質のシリコンゴムが好適に使用される。
【００３７】
そして、このおしゃぶり１０においては、従来のおしゃぶりにおいて困難であった煮沸消毒が可能となる。すなわち、軟質膜４の設置によりゴム製乳首２の内部は常に外部と高い気密性を持って隔絶されており、煮沸消毒の際にゴム製乳首２の内部に水が侵入することが確実に防止される。なお煮沸消毒の際に第２空間部２３には水が侵入するが、この第２空間部２３は、比較的小さい体積に設けられており、煮沸消毒後速やかに乾燥し、通常の使用に供することが可能である。
【００３８】
このおしゃぶり１０の使用状態について図６（Ａ）および（Ｂ）を参照して説明する。
【００３９】
おしゃぶり１０はゴム製乳首２を乳幼児が口に含んで使用する。このとき、噛む動作によりゴム製乳首２の内圧が上昇し、内部の空気が貫通孔１３ａを通して第１空間部１８に流入する。このとき、空気圧により軟質膜４の膨出部１６が加圧されて、キャップ５側にへこむ形に押付けられる。この軟質膜４の作用により、第２空間部２３の空気は、通気孔２２ａから外部に流出する（図６（Ａ））。
【００４０】
また、噛む動作を止めれば、通気孔２２ａから外気が流入し、軟質膜４が元の形状に復元し、ゴム製乳首２も元の形状に復元する（図６（Ａ））。
【００４１】
この一連のプロセスの間、ゴム製乳首２内部の内圧は、ほぼ一定に保たれ、ゴム製乳首２を強く噛んだり吸引したりしてもおしゃぶり１０の使用感が損なわれることがない。
【００４２】
以上説明のように、このおしゃぶり１０においては、おしゃぶり１０の使用時に、ゴム製乳首２の内圧が一定に保持されるため、使用感が常に良好に保持されると同時に、ゴム製乳首２の内部は軟質膜４の気密性により外部と確実に遮断される。従って、おしゃぶり１０の煮沸消毒が可能であり、従来のおしゃぶりに比較して極めて衛生的で安全性が高く、さらに使用感の良いおしゃぶりを提供することが可能である。
【００４３】
さらに、このおしゃぶり１０においては、図７（Ａ）に示すように、座板１の肌との接触面に樋状の凹部３２を設けてうっ血を防止する構成とする。
【００４４】
凹部３２は、座板１の肌との接触面に、ゴム製乳首２の外周を取り囲むように環状に設けられた樋状のへこみ部である。この凹部３２から座板１の外縁に向かって延伸される直線状の凹部ガイド部３２ａが形成される。
【００４５】
凹部ガイド部３２ａは、ゴム製乳首２の外周を取り囲むように設けられた凹部３２から、座板１の縦方向上下および横方向左右の外縁に向かって設けられる樋状のへこみ部で、凹部３２と外部とを連通して、凹部３２内部が真空となることを防止する。
【００４６】
なお、座板１の外周縁部３３は、肌との接触面より一段低くした構成としてあり、座板１の外周縁部３３の肌当りを防止する。
【００４７】
凹部３２は、図７（Ｂ）のように座板１の肌との接触面に設けられた樋状のへこみ部で、凹部３２の断面形状は円弧状に形成される。凹部３２の幅は２ｍｍ〜６ｍｍ程度が好ましく、より好ましくは４ｍｍから５ｍｍの範囲に設定される。凹部３２の深さは、空気抜きとして十分機能する範囲でなるべく浅くすることが好ましく、例えば、凹部３２の深さを０．５ｍｍに設けたものは、肌とのフィット感を損なうことなく、真空を防止する効果に優れるため好適である。この凹部３２の深さがあまり深いとおしゃぶり１０の装用感が低下する。
【００４８】
凹部３２の円弧の曲率は、凹部３２の幅により変化するが、例えば凹部３２の幅を４ｍｍとした場合、曲率はＲ２としたものが好適である。また凹部３２のエッジ部３２ｂは肌当たりのよいように曲面状に平滑に仕上げてあり、エッジ部３２ｂのあたりによる肌の損傷やフィット感の低下を防止する。
【００４９】
このように構成されたおしゃぶり１０の機能によれば、乳幼児がゴム製乳首２を口に含むと、座板１が乳幼児の口周辺の肌に接触する。このとき、座板１に設けた凹部３２の作用により、ゴム製乳首２を強く吸引した場合でも、凹部３２が凹部ガイド部３２ａを通して外部と常に連通することにより、座板１と肌との間が真空状態となることがない。そのため、肌が吸引されることによるうっ血や、唾液の滞留によるかぶれが効果的に防止される。
【００５０】
また、唾液は凹部３２から座板１下方外縁に延長されて外部と連通する凹部ガイド部３２ａにより排出されるので、座板１と肌との接触面に唾液の滞留がなく、唾液によるかぶれがさらに効果的に防止される。
【００５１】
また、本発明に係るおしゃぶり１０は、座板を図７（Ｃ）に示すような構成としてもよい。
【００５２】
この座板３５は、凹部３２を複数条、ゴム製乳首２を挿入する孔部の外周に同心円状に設けたものである。このように複数条の凹部３２を設ける構成とした座板３５は、座板１と肌との間の真空防止効果が一層向上し、さらに効果的に吸引によるうっ血やただれを防止する。
【００５３】
また図７（Ｄ）に示す座板３６のように、座板３６の表裏を連通する座板孔部３７を設けたものは、凹部３２が座板孔部３７と連通するため、さらに座板３６と肌との接触面が真空となるのが防止され、うっ血やただれを効果的に防止する。
【００５４】
なお、本発明のおしゃぶりにおいては、座板を形成する樹脂にトルマリンを添加してもよい。
【００５５】
トルマリンは、マイナスイオンを発生し、気分を鎮静する効果を持つ鉱物として認識されており、研磨してアクセサリーとして使用したり、あるいは樹脂製品に混練して成形する等の使用方法があり、一般に利用されている。
【００５６】
本発明のおしゃぶりは、このトルマリン添加樹脂を座板１の材質として使用する。座板１は乳幼児の口元に直接接触する部材であり、この座板１に気分鎮静効果の高いトルマリン添加樹脂を使用することにより、トルマリンの持つ効果をより効果的に利用することが可能である。従って、乳幼児のかんしゃく防止や、かんしゃくを起こしたときに使用することにより、乳幼児の気分を鎮静することが可能なおしゃぶりを提供することができる。
【００５７】
本発明者らによれば、ポリプロピレン樹脂材料へのトルマリンの添加率は０．５〜１．０質量％が好ましい。この範囲でトルマリンを添加した樹脂材料は、座板１の機械的強度を保持しつつ、トルマリンの持つ優れた気分鎮静効果を発揮することが可能であり、おしゃぶりの座板１として使用するのに好適である。
【００５８】
また、このおしゃぶり１０において、空気流通性を備えたゴム製乳首４１を設ける構成としてもよい。
【００５９】
このゴム製乳首４１は、図８（Ａ）および（Ｂ）に示すように、ゴム製乳首４１の縦方向に縦断する縦溝４２を設ける構成としてある。図８（Ａ）は、ゴム製乳首４１の横方向の外観を示す立面図を示し、また、図８（Ｂ）は、ゴム製乳首４１の上方からの外観を示す平面図を示す。
【００６０】
縦溝４２は、ゴム製乳首４１の縦方向に縦断する形状に構成される。
【００６１】
縦溝４２の深さは、図８（Ｃ）に示すように、好ましくは０．５ｍｍ〜１．５ｍｍに設けられ、より好ましくは１ｍｍに施工される。縦溝４２の深さを１ｍｍに設けたゴム製乳首２は、縦溝４２を通しての空気の流通性が良好であり、特に好適である。また、縦溝の角部の４２ａの形状は、乳幼児が吸引するさいのフィット感を良好にするため曲面形状に仕上げられ、Ｒ０．２〜Ｒ０．３の曲面仕上げに形成される。
【００６２】
縦溝４２の幅は１ｍｍ〜２ｍｍ程度が好適であり、特に縦溝４２の幅を１．５ｍｍに設けたものは、縦溝４２を通しての空気の流動性を確保しつつ、乳幼児がゴム製乳首４１を使用する際の使用感を損なうこともなく、最適である。
【００６３】
縦溝４２の内側は、ゴム製乳首４１の機械的強度を保持するため、縦溝４２の深さに応じて膨出部４３を設けた構造となっている。
【００６４】
この縦溝４２を設けたことにより、ゴム製乳首４１を誤飲した場合でも、縦溝４２を通して空気が流通するため、窒息の危険を回避することが可能である。
【００６５】
次に、本発明に係るおしゃぶりの変形例について図９を参照して説明する。
【００６６】
図９に示す変形例のおしゃぶり５０は、第２空間部に貫通穴の径より大きなビーズ５１を封入したものである。このおしゃぶり５０によれば、おしゃぶり５０の使用時に軟質膜４の挙動によりビーズが接触することにより接触音が発生し、軟質膜４の作動音と合わせて、従来のおしゃぶりにはない効果音を付与することが可能である。
【００６７】
さらに、図１０に示す他の変形例のおしゃぶり６０は、貫通孔に空気笛６１を設けたものである。このおしゃぶり６０によれば、おしゃぶり６０の使用時に第２空間部から空気が流出する際に、空気笛６１を鳴らすことが可能であり、従来のおしゃぶりに比較して、より付加機能が追加された高機能のおしゃぶりを提供することが可能である。
【００６８】
次に、本発明に係るおしゃぶりの第２の実施形態について図１１を参照して説明する。
【００６９】
図１１に示すおしゃぶり７０は、ストッパ７１の中央部分に遮断弁取付孔を設け、この遮断弁取付孔に遮断弁７３を挿入して、ストッパ７１の遮断弁取付孔の側壁部７４と遮断弁７３のストッパ７１との接触面に、それぞれめねじ部７４ａおよびおねじ部７３ａを設けて係合し、遮断弁７３に設けられた操作部７５を操作することにより、ストッパ７１と遮断弁７３との間隙を制御可能に設けたものである。
【００７０】
遮断弁７３は、ゴム製乳首２の内部に設置されてストッパ７１の遮断弁取付孔の外周縁に係合して抜け落ちを防止するヘッド部７６と、このヘッド部７６から延伸されてストッパ７１の遮断弁取付孔と摺動する、ヘッド部７６よりやや小径の略円柱状の形状を有する摺動部７７ａと、摺動部７７ａから延設された円柱部７７ｂと、円柱部７７ｂの端部に設けられて外部側に配向される皿状の操作部７５とが一体に形成された部材である。円柱部７７ｂの側壁には、おねじ部７３ａが設けられてめねじ部７４ａと螺合し、また、操作部７５には遮断弁７１を回旋させて操作するつまみ部７８が設けられており、このつまみ部７８を把持して操作することにより、ストッパ７１と遮断弁７３との間隙を制御する。
【００７１】
また、ストッパ７１の遮断弁取付座７１ａと円柱部７７ｂの端部との間隙には、パッキン８１が設置されており、遮断弁７１をねじ込みすると、ストッパ７１と遮断弁７３とがパッキン８１の弾力により密着して気密性を保持するように構成される。
【００７２】
すなわち、つまみ部７８を把持して操作部７５を回旋させると、図１１（Ａ）のように遮断弁７３とストッパ７１との締結部分であるねじ部が緩められ、ゴム製乳首２の内部と外部とがストッパ７１と遮断弁７３との間隙を介して連通する。このときヘッド部７６がストッパ７１の遮断弁取付孔の外縁部に係合し、ゴム製乳首２内部と外部とが連通した状態で遮断弁７３が固定される。この状態において、おしゃぶり７０の通常使用が可能である。
【００７３】
つまみ部７８を把持して操作部７５を逆回旋させると１１（Ｂ）のように遮断弁７３はストッパ７１にねじ込まれて、パッキン８１の作用によりストッパ７１と遮断弁７３との間の気密性が保持される。この状態において、おしゃぶり７０の煮沸消毒が可能となる。
【００７４】
【発明の効果】
以上説明のとおり、本発明に係るおしゃぶりによれば、軟質膜によりゴム製乳首の内部と外部とが遮断されるので、ゴム製乳首内部の気密性が高く、また軟質膜の可とう性により、ゴム製乳首内部の内圧がほぼ一定に保持されるので、使用感が良く、煮沸消毒が可能なおしゃぶりを提供することが可能である。
【００７５】
また、本発明に係るおしゃぶりによれば、操作部と、操作部を開閉するつまみ部を設ける構成としたので、ゴム製乳首内部と外部とを自在に遮断あるいは連通するため、ゴム製乳首内部の密閉性を保持するので、煮沸消毒が可能であり衛生的なおしゃぶりを提供することができる。
【００７６】
一方、本発明に係るおしゃぶりによれば、ゴム製乳首に設けた縦溝により、誤ってゴム製乳首を飲みこんだ場合にも気道が確保され、縦溝を介して空気が流通するので、窒息の危険がない。
【００７７】
本発明に係るおしゃぶりによれば、座板の肌との接触面に凹部を設けて、座板と肌との接触面を常に外部と連通する構成としたので、乳幼児が強く吸引した場合でも座板と肌との間が真空状態となることを防止し、また、唾液の滞留を防ぐので、うっ血やかぶれを効果的に防止し、安全に長時間使用可能なおしゃぶりを提供することが可能である。
【００７８】
また、本発明に係るおしゃぶりによれば、座板に使用したトルマリン添加樹脂のマイナスイオン効果による気分沈静効果が期待され、疳の虫やかんしゃくに対して優れた気分鎮静効果を発揮する。
【図面の簡単な説明】
【図１】本発明に係るおしゃぶりの第１の実施形態を示す構造図。
【図２】ゴム製乳首の詳細な構造を示す外形図。
【図３】ストッパの詳細な構造を示す外形図。
【図４】軟質膜の詳細な構造を示す外形図。
【図５】キャップの詳細な構造を示す外形図。
【図６】（Ａ）および（Ｂ）は、おしゃぶりの動作機構を示す説明図。
【図７】（Ａ）、（Ｂ）、（Ｃ）および（Ｄ）は、座板の構造を示す正面図。
【図８】（Ａ）、（Ｂ）および（Ｃ）は、縦溝を設けたゴム製乳首を示す外形図。
【図９】本発明に係るおしゃぶりの変形例を示す構造図。
【図１０】本発明に係るおしゃぶりの他の変形例を示す構造図。
【図１１】（Ａ）および（Ｂ）は、本発明に係るおしゃぶりの第２の実施形態を示す構造図。
【図１２】従来のおしゃぶりの構造を説明する構造図。
【符号の説明】
１　座板
２　ゴム製乳首
３　ストッパ
３ａ　挿入部
４　軟質膜
５　キャップ
６　ハンドル
７　ノズル部
８　乳首部
９　フランジ部
１０　おしゃぶり
１２　側壁部
１３　平板部
１３ａ　貫通孔
１４　フランジ部
１５　嵌合部
１６　膨出部
１７　外縁部
１８　第１空間部
２１　側壁部
２２　底板
２２ａ　通気孔
２３　第２空間部
３２ａ　凹部ガイド部
３２ｂ　エッジ部
３３　外周縁部
３５　座板
３６　座板
３７　座板孔部
４１　ゴム製乳首
４２　縦溝
４３　膨出部
５０　おしゃぶり
５１　ビーズ
６０　おしゃぶり
６１　空気笛
７０　おしゃぶり
７１　ストッパ
７２　座板
７３　遮断弁
７３ａ　おねじ部
７４　側壁部
７４ａ　めねじ部
７５　操作部
７６　ヘッド部
７７ａ　摺動部
７７ｂ　円柱部
７８　つまみ部
８１　パッキン
１００　おしゃぶり
１０１　座板
１０２　ゴム製乳首
１０３　ストッパ
１０４　係合部
【図１】
2004016277.tif 000003
【図２】
2004016277.tif 000004
【図３】
2004016277.tif 000005
【図４】
2004016277.tif 000006
【図５】
2004016277.tif 000007
【図６】
2004016277.tif 000008
【図７】
2004016277.tif 000009
【図８】
2004016277.tif 000010
【図９】
2004016277.tif 000011
【図１０】
2004016277.tif 000012
【図１１】
2004016277.tif 000013
【図１２】
2004016277.tif 000014